(57)【要約】【課題】ナローガイドの格納姿勢と作業姿勢の切り換え操作をスムーズに行うと共に、簡単に切り換えることができるコンバインのナローガイド装置を提供する。【解決手段】刈取部３の未刈地側で植立穀稈を分草案内するナローガイド２を、その前方を分草フレーム１５に回動自在に設けると共に、後方を取付フレーム１３の切換支持部２５に側方へ進退自在に設けた支持杆３６に取付支持し、ナローガイド２を格納姿勢と作業姿勢に切換自在としたコンバインのナローガイド装置であって、前記ナローガイド２を支持する支持杆３６に進退操作用の把手４２を設けた構成にする。【選択図】        図３
2007259809.tif 000002
【特許請求の範囲】
【請求項１】
刈取部（３）の未刈地側で植立穀稈を分草案内するナローガイド（２）を、その前方を分草フレーム（１５）に回動自在に設けると共に、後方を取付フレーム（１３）の切換支持部（２５）に側方へ進退自在に設けた支持杆（３６）に取付支持し、ナローガイド（２）を格納姿勢と作業姿勢に切換自在としたコンバインのナローガイド装置において、前記ナローガイド（２）を支持する支持杆（３６）に進退操作用の把手（４２）を設けたことを特徴とするコンバインのナローガイド装置。
【請求項２】
前記支持杆（３６）に突設する把手（４２）を、側面視においてナローガイド（２）の分草案内方向に沿って設ける請求項１記載のコンバインのナローガイド装置。
【発明の詳細な説明】
【技術分野】
【０００１】
本発明はコンバインのナローガイド装置に関する。
【背景技術】
【０００２】
従来、コンバインの刈取部未刈地側に設置されるナローガイドは、前端部を分草フレームの回動支持部（立軸）に回動自在に設けると共に、後方を取付フレーム（機体フレーム）に設置される切換支持部（ブラケット）の支持杆に取付支持し、ナローガイドを機体側方に張り出して植立穀稈を分草案内する作業姿勢と、機体側に引き寄せた格納姿勢とに切り換え自在に設けている（例えば特許文献１。）。
【特許文献１】特許第３２５７８９２号公報
【発明の開示】
【発明が解決しようとする課題】
【０００３】
上記特許文献１のナローガイド装置は、ナローガイドを作業姿勢と格納姿勢とに切り換えるとき、ナローガイドは平面視において、前部の回動支持部を中心に後端部が大きな円弧を描いて側方に回動し、且つナローガイドの後端部を摺動自在に支持する支持杆は、切換支持部の支持カラー内にスライド自在に支持されて横方向に進退作動する。
従って、作業者がナローガイドの後端部を把持し円弧方向に押し引き回動すると、作動方向を異にする支持杆はナローガイドの回動分力によって、切換支持部側の作動抵抗及び摺動抵抗を増し齧り作動するので、ナローガイドの姿勢切換に大きな力を要すること、及び齧りを生じさせないように切換作動を行わねばならない等作業が煩雑で非能率になる問題がある。
【課題を解決するための手段】
【０００４】
上記課題を解決するために本発明のコンバインのナローガイド装置は、第１に、刈取部３の未刈地側で植立穀稈を分草案内するナローガイド２を、その前方を分草フレーム１５に回動自在に設けると共に、後方を取付フレーム１３の切換支持部２５に側方へ進退自在に設けた支持杆３６に取付支持し、ナローガイド２を格納姿勢と作業姿勢に切換自在としたコンバインのナローガイド装置において、前記ナローガイド２を支持する支持杆３６に進退操作用の把手４２を設けたことを特徴としている。
【０００５】
第２に、前記支持杆３６に突設する把手４２を、側面視においてナローガイド２の分草案内方向に沿って設けることを特徴としている。
【発明の効果】
【０００６】
以上のように本発明によるコンバインのナローガイド装置にれば、ナローガイドの前方を分草フレームに回動自在に設けると共に、後方を切換支持部に進退自在に設けた支持杆に取付支持し、該支持杆に進退操作用の把手を設けたことにより、従来のもののようにナローガイドを把持し無理に押し引き進退操作することなく、把手を把持して支持杆を直接的に進退作動させるので、支持杆の齧り作動を防止しナローガイドを簡単且つスムーズに操作することができる。
【０００７】
また把手は支持杆に対しナローガイドの分草案内方向に沿って設けているので、張出姿勢においてナローガイドの内側に倒れ込んだ倒れ穀稈が把手に接触したとしても、この倒れ穀稈が引っ掛かることなく倒れ穀稈の脱粒や稈切れ等を防止することができる。
【発明を実施するための最良の形態】
【０００８】
本発明の一実施形態を図面に基づいて説明する。図１において符号１は、本発明に係わるナローガイド２とその操作構造を備えたコンバインであり、クローラー式の走行装置１ａを備えた走行機台１ｂに、刈取部３と脱穀部５等の作業部を従来のものと同様に前後方向に配置し、刈取部３の後方で脱穀部５の右側に操縦部６とグレンタンク７を配置し、脱穀部５の後方に排藁カッター装置９を備えた構成となっている。
【０００９】
この構成によりコンバイン１は、刈取部３によって刈り取った植立穀稈を脱穀部５に搬送供給して脱穀を行い、脱穀済の排稈は排藁カッター装置９を経て、切断状態又は非切断の長藁状態のまま機外に排出される。また脱穀部５によって脱穀選別された穀粒は、グレンタンク７に収容され一連のコンバイン作業を行うことができる。
【００１０】
刈取部３は刈取部縦フレーム１０の後端を、走行機台１ｂの前側に立設される支柱１１に回動可能に支持し、且つ刈取部縦フレーム１０の中途部を走行機台１ｂ側に設けた油圧シリンダ１２によって昇降自在に支持される。
また刈取部３は刈取部縦フレーム１０の前端に設けた刈取部横フレーム１３から前側に向けて延設した複数の分草フレーム１５に、分草体１６と穀稈引起体１７を前後に取付支持し、分草体１６によって仕分けた（分草した）植立穀稈を穀稈引起体１７によって起立させ、後方に設置される刈刃１９で刈り取ると共に、刈取穀稈を扱深搬送装置２０によって脱穀部５に向けて搬送する。そして、刈取部３は左側面に刈取部カバー２１を後述する構成によって着脱自在に設けている。
【００１１】
図１〜図３で示すようにナローガイド２は、穀稈未刈地側となる機体の左側に従来のものと同様な支持構造によって格納姿勢とガイド姿勢に切換可能に設置している。
即ち、ナローガイド２の前端は、最左側の分草フレーム１５の中途部に突設したブラケット部２２ａに、前方上方に向けて屈曲形成した回動支持部（支持ピン）２２に枢支させ、且つ後端部を取付フレームとしての刈取部横フレーム１３に取付固定される刈刃伝動ケース（取付部材）２３に設けた切換支持部２５によって姿勢変更可能に支持している。
【００１２】
図示例のナローガイド２は後端部にジョイント部２６を介し、走行機台１ｂに設けた支持部２７に回動自在に支持される補助ナローガイド２ａの前端部を接続している。
これにより図３で示すように、回動支持部２２を中心にナローガイド２の後端部が側方に回動移動するとき、補助ナローガイド２ａはナローガイド２の姿勢変更を妨げることなく後方の支持部２７を支点に追動し、ナローガイド２で分草案内される穀稈を引き継いで、穀稈穂先側を機体から離間させるように誘導する。また補助ナローガイド２ａは従来のものと同様に、走行機台１ｂに沿って側方に張り出して設置されるガイド部材２９とラップさせており、分草された穀稈を機体走行に伴って後方に誘導することができる。
【００１３】
上記切換支持部２５は図２，図３で示すように、前記刈刃伝動ケース２３の背後に設けた取付板３０に支持杆ホルダ３１を有するホルダ板３２を取付軸３３を介して回動自在に支持し、且つホルダ板３２をスプリング３５によって取付板３０に押接している。
この構成により支持杆ホルダ３１は取付軸３３を支点にスプリング３５の押接力に抗して回動変位させ、回動位置で支持杆ホルダ３１を位置決め保持することができるので、支持杆ホルダ３１に挿入される支持杆３６の支持角度を植立穀稈の長さ等に適した位置に選択して保持することができる。
【００１４】
上記支持杆ホルダ３１は上向き二股状のホルダ片３７，３７に穿設した支持孔内に支持杆３６をスライド自在に挿入し、且つホルダ片３７，３７の間に介装したストッパ３９の支持孔に支持杆３６を挿入した状態で、上記ストッパ３９を図示しないスプリングによって支持杆３６を制動固定する支持杆固定姿勢に付勢保持する制動機構を構成している。
これにより切換支持部２５は、制動機構のストッパ３９が支持杆固定姿勢にあるとき、
支持杆３６のスライド移動を制動し固定することができる。そして、この状態でストッパ３９をスプリングに抗して指で移動操作して支持杆解除姿勢にすると制動固定を解除することができ、支持杆３６のスライド移動を自由にすると共に、指を離すとストッパ３９が復帰し支持杆３６を再び位置決め固定することができる。
【００１５】
支持杆３６は左端に、ナローガイド２の後端部内側に沿って設けたガイド支持杆４０を摺動自在に支持する支持片４１を形成し、該支持片４１の近傍にナローガイド操作用の把手４２を後方に向けてナローガイド２に沿う方向に突設している。また支持杆３６の右端には抜け止め用の支持杆ストッパ４３を着脱自在に設けている。
上記ガイド支持杆４０はナローガイド２の後端部との間に、支持片４１のフック部が挿入されて移動する挿入間隔を有して着脱自在に取付固定しており、ループ状に屈曲した後端部に補助ナローガイド２ａの先端部に設けたフック片４５を係合させて、前記ジョイント部２６を構成している。
【００１６】
次に図３，図２を参照し刈取部カバー２１の取付構造について説明する。この刈取部カバー２１は合成樹脂成形によって構成され、内側面の上下に外側から把持操作される作動ストッパ５０と、複数のフック片５１，５１を設けている。作動ストッパ５０は穀稈引起体１７の上方部位又はその近傍に設けた図示しない係合部に対し、外部から係脱自在に係止することができる。またフック片５１，５１は、分草フレーム１５側に長孔及び取付ボルト等の取付手段によって高さ調節自在に取付けられたストッパ杆５２に、フック部を上方から係脱自在に載置することができる。
【００１７】
この構成により刈取部カバー２１は、フック片５１，５１をストッパ杆５２に係合した状態で作動ストッパ５０を所定の係合部に係止することにより、ワンタッチ操作によって図２に示すように刈取部３に装着することができ、且つ逆順の操作によって簡単に取り外すことができる。またストッパ杆５２は、刈取部カバー２１の変形や組み付け誤差に対応させて高さ調節を簡単に行うことができるので、刈取部カバー２１を確実に取付支持することができる。
【００１８】
以上のように構成したナローガイド装置を備えるコンバイン１は、図２で示す格納姿勢から図３で示す作業姿勢（張出姿勢）に姿勢切換え行う際には、作業者は先ず片方の手で制動機構のストッパ３９を手前に引き制動固定を解除した状態で、もう片方の手で把手４２を把持し支持杆３６を外側に向けて引き出し操作すると、ナローガイド２を把持することなく、回動支持部２２を中心に後端部側を大きく回動させて側方に張り出すことができる。そして、ナローガイド２を所望の張り出し位置にした状態でストッパ３９手を離すと、制動機構のストッパ３９が働き位置決め固定することができる。
【００１９】
また上記張出姿勢にあるナローガイド２を格納姿勢にする際には、前記したと同様に片方の手で制動機構のストッパ３９を解除操作した状態で、もう片方の手で把手４２を把持し機体内側に向けて押し込み操作を行い退動位置で手を離すと、ストッパ３９が支持杆３６を制動し位置決め固定して格納姿勢に保持することができる。
【００２０】
従って、本発明のナローガイド装置によれば、従来のもののようにナローガイド２を把持し切換支持部２５の支持抵抗に抗し、機体の側方から無理に押し引き進退作動することなく、把手４２を把持して支持杆３６を直接的に進退作動させるので、支持杆３６の齧り作動を防止しナローガイド２を簡単且つスムーズに操作することができ、ナローガイド２の切換操作を能率よく行うことができる。
【００２１】
また把手４２は支持杆３６に対し後方に向けナローガイド２に沿わせて設けているので、張出姿勢において分草案内される穀稈の一部がナローガイド２の内側に倒れ込んで把手
４２に接触したとしても、この倒れ穀稈は把手４２に引っ掛かることなく後方に外れ、ナローガイド２に沿って姿勢修正され脱粒や稈切れ等を防止することができる。
尚、把手４２は図２の点線で示すように、内側に向けて切換支持部２５を囲うように屈曲形成すると、把手４２をより把持し易くなり、また作業中に一時的に後進走行する際に、接触した倒れ込み穀稈を下方に誘導させて切換支持部２５との引っ掛かりを防止することができる。
【図面の簡単な説明】
【００２２】
【図１】本発明のナローガイド装置を備えたコンバインの全体側面図である。
【図２】図１のナローガイドを格納姿勢にした状態を示す要部の斜視図である。
【図３】図２のナローガイドを作業姿勢にした状態を示す斜視図である。
【符号の説明】
【００２３】
１    コンバイン
１ｂ  走行機台
２    ナローガイド
３    刈取部
１３  刈取部横フレーム（取付フレーム）
２５  切換支持部
３６  支持杆
４２  把手
【図１】
2007259809.tif 000003
【図２】
2007259809.tif 000004
【図３】
2007259809.tif 000005